(57)【要約】      （修正有）【課題】シールとして手や足の爪に誰でも簡単に貼り付けることができ、不用になった時点で簡単に剥がして取り外すことができる温熱効果を有する爪用温熱シールを提供する。【解決手段】遠赤外線を放射するセラミックス粉末をコート剤に混合したコーティング剤１ａをフィルムにコーティングしてなることを特徴とする爪用温熱シール１。【選択図】図１
2007195567.tif 000002
【特許請求の範囲】
【請求項１】
遠赤外線を放射するセラミックス粉末をコート剤に混合したコーティング剤をフィルムにコーティングしてなることを特徴とする爪用温熱シール。
【請求項２】
遠赤外線を放射するセラミックス粉末をフィルムに混合してなることを特徴とする爪用温熱シール。
【請求項３】
遠赤外線を放射するセラミックス粉末を貼着部に混合してなることを特徴とする爪用温熱シール。
【請求項４】
フィルムの表面に、絵やキャラクター等を印刷してなることを特徴とする請求項１、２又は３記載の爪用温熱シール。
【請求項５】
上記セラミックス粉末が、粒径が、５μｍ以下で且炭化珪素又は酸化珪素５０乃至７０％重量、酸化アルミニウム１５乃至２５％重量、酸化チタン５乃至１０％重量の割合で焼成されてなる超微粒状のセラミックス粉であることを特徴とする請求項１、２、３又は４記載の爪用温熱シール。
【発明の詳細な説明】
【技術分野】
【０００１】  本発明は、手や足の爪に貼り付けることにより遠赤外線効果により、指先や足先等を温める効果を有する爪用温熱シールに関するものである。
【背景技術】
【０００２】  背景の技術としては、貴宝石を０．１５〜０．３５％含有することに加えて、天然セラミックパウダー０．１５〜０．３５％、ブラックペッパー０．５〜１．５％、酸化チタン０．５〜１．５％およびトウガラシチンキ０．５〜１．５％のうち少なくとも１つを含有することを特徴とする爪化粧品がある。（特許文献１参照）
【特許文献１】  特開２００１−１２２７３６号公報
【発明の開示】
【発明が解決しようとする課題】
【０００３】  上記の従来技術は、貴宝石を使用しており、コスト的に高くつくことが考えられると共に、使用方法として、マニキュア、ペディキュアと同様にして、手足の爪に塗布するもので、塗布するのが面倒であり、かつ除光液等を使用しなければ取り除くことができず手間である。
また、絵やキャラクター等を表示するためには、あらためて書く必要があり、ワンポイントのおしゃれには手間がかかりすぎるものである。【０００４】  本発明は、上記のような従来の構成が有していた問題を解決しようとするものであり、シールとして手や足の爪に誰でも簡単に貼り付けることができ、不用になった時点で簡単に剥がして取り外すことができる温熱効果を有する爪用温熱シールを提供するものである。
【課題を解決するための手段】
【０００５】  本発明は、上記目的を達成する手段として、遠赤外線を放射するセラミックス粉末をコート剤に混合したコーティング剤をフィルムにコーティングしてなる。
また、遠赤外線を放射するセラミックス粉末をフィルムに混合してなる。
さらに、遠赤外線を放射するセラミックス粉末を貼着部に混合してなる。
そして、フィルムの表面に、絵やキャラクター等を印刷してなる。
さらにまた、上記セラミックス粉末が、粒径が、５μｍ以下で且炭化珪素又は酸化珪素５０乃至７０％重量、酸化アルミニウム１５乃至２５％重量、酸化チタン５乃至１０％重量の割合で焼成されてなる超微粒状のセラミックス粉であることを特徴とする。
【発明の効果】
【０００６】１）、遠赤外線を放射するセラミックス粉末をコート剤に混合したコーティング剤をフィルムにコーティングした爪用温熱シールを、手や足の爪に貼り付けることにより、爪から徐々に温かくなり、サーモグラフィーのデータによれば、１０分後には手首付近まで黄色となり、６０分後には手の甲に赤色の部分が多くなり、手全体が温かくなった。
２）、セラミックス粉末をフィルムに混合することにより、爪への距離を少し近くすることにより、より温熱効果を向上させてなる。
３）、セラミックス粉末を貼着部に混合することにより、爪に直接セラミックス粉末を接触でき、より一層温熱効果を向上させることができる。
４）、セラミックス粉末を粒径が、５μｍ以下で且炭化珪素又は酸化珪素５０乃至７０％重量、酸化アルミニウム１５乃至２５％重量、酸化チタン５乃至１０％重量の割合で焼成されてなる超微粒状にすることにより、上記のような効果を得ることができる。
５）、絵やキャラクター等を印刷することにより、色々なおしゃれを楽しむことができる。
【発明の実施するための最良の形態】
【０００７】  爪用温熱シール１は、遠赤外線を放射する粒径が例えば５μｍ以下で且炭化珪素又は酸化珪素５０乃至７０％重量、酸化アルミニウム１５乃至２５％重量、酸化チタン５乃至１０％重量の割合で焼成されてなる超微粒状のセラミックス粉をアクリル系樹脂コート剤に、重量比３乃至１０％混合したコーティング剤１ａを爪型に形成したフィルム１ｂ（ポリエチレンやポリプロピレン等）にコーティングしてなると共に、フィルム１ｂの下面に貼着剤１ｃを設けてある。
【０００８】  爪用温熱シール２１は、遠赤外線を放射する粒径が例えば５μｍ以下で且炭化珪素又は酸化珪素５０乃至７０％重量、酸化アルミニウム１５乃至２５％重量、酸化チタン５乃至１０％重量の割合で焼成されてなる超微粒状のセラミックス粉を、上記と同様なフィルム２１ｂに、重量比３乃至１０％混合し、フィルム２１ｂの下面に貼着剤２１ｃを設けてある。
【０００９】  爪用温熱シール３１は、上記と同様な粒径が例えば５μｍ以下で且炭化珪素又は酸化珪素５０乃至７０％重量、酸化アルミニウム１５乃至２５％重量、酸化チタン５乃至１０％重量の割合で焼成されてなる超微粒状のセラミックス粉を、フィルム３１ｂの下面の貼着剤３１ｃに、重量比３乃至１０％混合してなるものである。
【００１０】  爪用温熱シール４１は、コーティング剤４１ａあるいはフィルム４１ｂの表面に、絵やキャラクター、文字２等を印刷してなるものである。
【００１１】  爪用温熱シール５１は、シート３（剥離紙等）に、上記各爪用温熱シール１・２１・３１・４１等を貼り付けてなるものである。
【００１２】  つぎに、サーモグラフィーのデータについて述べる。
まず、５０才代の男性について。
スタート時は、爪や指の付け根に黄色があるのみである。（図７参照）
１０分後においては、手首付近まで黄色となった。（図８参照）
【００１３】  つづいて、５０才代の女性について。
スタート時は、爪の先から付け根までが黄色である。（図９参照）
６０分後においては、手の甲が全体が黄色となり、赤色の部分も多くなっており、温かくなっているのが顕著である。
【００１４】  なお、上記サーモグラフィーのデータは爪用温熱シール１のデータであるが、他の実施例はもっとよいデータと思われる。
また、コート剤、フィルムの材質は、同様な機能を有するものであれば特に限定しない。
さらに、貼着剤は適度な接着力を有するものであれば、特に限定するものではない。
さらにまた、セラミックス粉末は同様な機能を有するものであれば、他のセラミックス粉末でもよく、フィルムの形状も丸型・四角型等、必要に応じて決めればよい。
使用対象者としては、特に限定するものではないが、一般の方を始め、ギター演奏者・スポーツ選手等、色々な方々に有効利用できる。
【図面の簡単な説明】
【００１５】
【図１】  本発明の第１実施例を示す爪用温熱シールの平面図。
【図２】  本発明の第１実施例を示す爪用温熱シールの側面図。
【図３】  本発明の第２実施例を示す爪用温熱シールの側面図。
【図４】  本発明の第３実施例を示す爪用温熱シールの側面図。
【図５】  本発明の第４実施例を示す爪用温熱シールの平面図。
【図６】  本発明の第５実施例を示す爪用温熱シールの平面図。
【図７】  本発明の第１実施例のサーモグラフィーにおけるスタート時の手の温度を示す図。
【図８】  本発明の第１実施例のサーモグラフィーにおける１０分後の手の温度上昇を示す図。
【図９】  本発明の第１実施例のサーモグラフィーにおけるスタート時の手の温度を示す図。
【図１０】  本発明の第１実施例のサーモグラフィーにおける６０分後の手の温度上昇を示す図。
【符号の説明】
【００１６】  １−−−爪用温熱シール
１ａ−−コーティング剤
１ｂ−−フィルム
１ｃ−−貼着剤
２−−−文字
３−−−シート
【図１】
2007195567.tif 000003
【図２】
2007195567.tif 000004
【図３】
2007195567.tif 000005
【図４】
2007195567.tif 000006
【図５】
2007195567.tif 000007
【図６】
2007195567.tif 000008
【図７】
2007195567.tif 000009
【図８】
2007195567.tif 000010
【図９】
2007195567.tif 000011
【図１０】
2007195567.tif 000012